(57)【要約】【課題】乾式現像方式のトナーを用いて画像を形成する際にトナー像の低温での定着と耐折り曲げ性が両立される画像形成装置を提供する。【解決手段】像保持体５０と、前記像保持体の表面を帯電する帯電手段５２と、前記像保持体の表面に静電潜像を形成する静電潜像形成手段５４と、スチレン系熱可塑性エラストマー及びスチレン系熱可塑性樹脂を含むトナーを収納し、前記像保持体の表面に形成された静電潜像を前記トナーにより現像してトナー像を形成する現像手段５６と、前記トナー像を記録媒体に転写する転写手段５８と、前記記録媒体に前記トナー像を定着する定着手段４０と、前記トナー像を前記記録媒体に定着する前又は定着すると共に前記トナー像に溶媒を付与する溶媒付与手段７０と、を備える画像形成装置１００。【選択図】図１
2012173618.tif 000002
【特許請求の範囲】
【請求項１】
像保持体と、
前記像保持体の表面を帯電する帯電手段と、
前記像保持体の表面に静電潜像を形成する静電潜像形成手段と、
スチレン系熱可塑性エラストマー及びスチレン系熱可塑性樹脂を含むトナーを収納し、前記像保持体の表面に形成された静電潜像を前記トナーにより現像してトナー像を形成する現像手段と、
前記トナー像を記録媒体に転写する転写手段と、
前記記録媒体に前記トナー像を定着する定着手段と、
前記トナー像を前記記録媒体に定着する前又は定着すると共に前記トナー像に溶媒を付与する溶媒付与手段と、
を備える画像形成装置。
【請求項２】
前記溶媒がパラフィンオイルである請求項１に記載の画像形成装置。
【請求項３】
前記溶媒付与手段は、前記トナー像に含まれるトナー量に対する前記溶媒の量が７０質量％以下となるように前記溶媒を付与する手段である請求項１又は請求項２に記載の画像形成装置。
【請求項４】
像保持体の表面を帯電する帯電工程と、
前記像保持体の表面に静電潜像を形成する静電潜像形成工程と、
前記像保持体の表面に形成された静電潜像をスチレン系熱可塑性エラストマー及びスチレン系熱可塑性樹脂を含むトナーにより現像してトナー像を形成する現像工程と、
前記トナー像を記録媒体に転写する転写工程と、
前記記録媒体に前記トナー像を定着する定着工程と、
前記トナー像を前記記録媒体に定着する前又は定着すると共に前記トナー像に溶媒を付与する溶媒付与工程と、
を有する画像形成方法。
【請求項５】
前記溶媒がパラフィンオイルである請求項４に記載の画像形成方法。
【請求項６】
前記溶媒付与工程において、前記トナー像に含まれるトナー量に対する前記溶媒の量が７０質量％以下となるように前記溶媒を付与する請求項４又は請求項５に記載の画像形成方法。
【発明の詳細な説明】
【技術分野】
【０００１】
本発明は、画像形成装置及び画像形成方法に関する。
【背景技術】
【０００２】
電子写真方式によってトナーを用いて画像を形成する技術として、トナーに溶媒を付与して記録媒体に画像を定着させる技術が提案されている。
例えば、特許文献１には、支持体に付着したトナーを溶媒によって溶解定着する定着装置において、溶解パラメータの異なる二種以上の溶媒による混合溶媒を用いて前記トナーを半溶解しつつ定着するようにしたことを特徴とする定着方法が開示されている。
【０００３】
特許文献２には、潜像保持体上の静電荷像を顕像化する画像形成方法において、液体の付着により溶解または膨潤可能で、粘着性が増加する特性を有する帯電粉体粒子を用いて該静電荷像を顕像化することを特徴とする画像形成方法が開示されている。
【０００４】
特許文献３には、潜像保持体と、該潜像保持体上の潜像を現像する現像手段と、該現像手段によって形成された該潜像保持体上のトナー像を中間転写体上に転写する第１の転写手段と、該中間転写体上に転写されたトナー像を記録材上に転写する第２の転写手段と、該トナーを溶解又は膨潤させる定着液を該トナーに付与して、該トナーを記録材上に定着させる定着手段とを備えた画像形成装置において、上記現像手段として、キャリア液中にトナーを分散した液体現像剤によって現像を行う液体現像手段を用い、上記定着手段は、上記中間転写体上のトナー像を上記記録材上に転写させる前に、該中間転写体表面に保持されたトナーに対して上記定着液を付与することを特徴とする画像形成装置が開示されている。
【０００５】
特許文献４には、トナー像を形成するトナー像形成手段と、トナー像形成手段により形成されるトナー像を記録媒体に転写する転写手段と、記録媒体表面を加熱する加熱手段と、記録媒体表面に、トナーを軟化および／または膨潤させることによりトナーを記録媒体に定着させる定着液を付与する定着液付与手段とを含む画像形成装置であって、加熱手段による記録媒体表面の加熱が、定着液付与手段による記録媒体への定着液付与より前または定着液付与と同時に行われるように、加熱手段および定着液付与手段が設けられることを特徴とする画像形成装置が開示されている。
【０００６】
特許文献５には、トナーを含む現像剤を用いて記録媒体上にトナー像を形成するトナー像形成手段と、前記トナー像が形成された記録媒体に水分を供給することによりトナーの定着を行う水分供給手段と、を有し、前記トナーが、非水溶性樹脂、水溶性樹脂及び着色剤を含み、該水溶性樹脂のトナー中の含有量が０．５質量％以上５０質量％以下であることを特徴とする画像形成装置が開示されている。
【０００７】
一方、主にホットオフセット抑制のためにトナーに含有しているワックスの分散性を高めることなどを目的として、トナーの結着樹脂に熱可塑性エラストマーを用いることが提案されている（例えば特許文献６ないし８参照）。
【先行技術文献】
【特許文献】
【０００８】
【特許文献１】特開昭５３−１１８１３９号公報
【特許文献２】特開２０００−１２２３９１号公報
【特許文献３】特開２００４−１０９７４９号公報
【特許文献４】特開２００６−１９５４２９号公報
【特許文献５】特開２００９−２６５５０６号公報
【特許文献６】特開平７−８４４０７号公報
【特許文献７】特開２００１−１７５０３１号公報
【特許文献８】特開２００７−７９３４８号公報
【発明の概要】
【発明が解決しようとする課題】
【０００９】
本発明は、乾式現像方式のトナーを用いて画像を形成する際にトナー像の低温での定着と耐折り曲げ性が両立される画像形成装置を提供することを目的とする。
【課題を解決するための手段】
【００１０】
上記目的を達成するため、以下の発明が提供される。
請求項１の発明は、像保持体と、前記像保持体の表面を帯電する帯電手段と、前記像保持体の表面に静電潜像を形成する静電潜像形成手段と、スチレン系熱可塑性エラストマー及びスチレン系熱可塑性樹脂を含むトナーを収納し、像保持体の表面に形成された静電潜像を前記トナーにより現像してトナー像を形成する現像手段と、前記トナー像を記録媒体に転写する転写手段と、前記記録媒体に前記トナー像を定着する定着手段と、前記トナー像を前記記録媒体に定着する前又は定着すると共に前記トナー像に溶媒を付与する溶媒付与手段と、を備える画像形成装置である。
請求項２の発明は、前記溶媒がパラフィンオイルである請求項１に記載の画像形成装置である。
請求項３の発明は、前記溶媒付与手段は、前記トナー像に含まれるトナー量に対する前記溶媒の量が７０質量％以下となるように前記溶媒を付与する手段である請求項１又は請求項２に記載の画像形成装置である。
請求項４の発明は、像保持体の表面を帯電する帯電工程と、前記像保持体の表面に静電潜像を形成する静電潜像形成工程と、前記像保持体の表面に形成された静電潜像をスチレン系熱可塑性エラストマー及びスチレン系熱可塑性樹脂を含むトナーにより現像してトナー像を形成する現像工程と、前記トナー像を記録媒体に転写する転写工程と、前記記録媒体に前記トナー像を定着する定着工程と、前記トナー像を前記記録媒体に定着する前又は定着すると共に前記トナー像に溶媒を付与する溶媒付与工程と、を有する画像形成方法である。
請求項５の発明は、前記溶媒がパラフィンオイルである請求項４に記載の画像形成方法である。
請求項６の発明は、前記溶媒付与工程において、前記トナー像に含まれるトナー量に対する前記溶媒の量が７０質量％以下となるように前記溶媒を付与する請求項４又は請求項５に記載の画像形成方法である。
【発明の効果】
【００１１】
請求項１の発明によれば、上記トナーによりトナー像を形成する現像手段と、上記トナー像に溶媒を付与する溶媒付与手段を組み合わせない場合に比べ、乾式現像方式のトナーを用いて画像を形成する際にトナー像の低温での定着と耐折り曲げ性が両立される画像形成装置が提供される。
請求項２の発明によれば、前記溶媒がパラフィンオイルでない場合に比べ、画像形成装置の周辺環境への溶媒汚染が抑制された画像形成装置が提供される。
請求項３の発明によれば、前記溶媒付与手段は、前記トナー像に含まれるトナー量に対する前記溶媒の量が７０質量％を超えるように前記溶媒を付与する手段である場合に比べ、定着温度が低く抑えられる画像形成装置が提供される。
請求項４の発明によれば、上記トナーによりトナー像を形成する現像工程と、上記トナー像に溶媒を付与する溶媒付与工程を組み合わせない場合に比べ、乾式現像方式のトナーを用いて画像を形成する際にトナー像の低温での定着と耐折り曲げ性が両立される画像形成方法が提供される。
請求項５の発明によれば、前記溶媒がパラフィンオイルでない場合に比べ、画像形成装置の周辺環境への溶媒汚染が抑制された画像形成方法が提供される。
請求項６の発明によれば、前記トナー像に含まれるトナー量に対する前記溶媒の量が７０質量％を超えるように前記溶媒を付与する場合に比べ、定着温度が低く抑えられる画像形成方法が提供される。
【図面の簡単な説明】
【００１２】
【図１】本実施形態に係る画像形成装置の構成の一例を示す概略図である。
【図２】本実施形態に係る画像形成装置の構成の他の例を示す概略図である。
【発明を実施するための形態】
【００１３】
本発明者らは、乾式現像方式によって形成したトナー像を定着する場合、トナー粒子がスチレン系熱可塑性エラストマー及びスチレン系熱可塑性樹脂を含むことで画像の耐折り曲げ性が向上し、トナー像の定着前又は定着と共にトナー像にパラフィンオイル等の溶媒を付与することで、低温定着性が向上することを見出した。
【００１４】
すなわち、本実施形態に係る画像形成装置は、像保持体と、前記像保持体の表面を帯電する帯電手段と、前記像保持体の表面に静電潜像を形成する静電潜像形成手段と、スチレン系熱可塑性エラストマー及びスチレン系熱可塑性樹脂を含むトナーを収納し、像保持体の表面に形成された静電潜像を前記トナーにより現像してトナー像を形成する現像手段と、前記トナー像を記録媒体に転写する転写手段と、前記記録媒体に前記トナー像を定着する定着手段と、前記トナー像を前記記録媒体に定着する前又は定着すると共に前記トナー像に溶媒を付与する溶媒付与手段と、を備える。
また、本実施形態に係る画像形成方法は、像保持体の表面を帯電する帯電工程と、前記像保持体の表面に静電潜像を形成する静電潜像形成工程と、前記像保持体の表面に形成された静電潜像をスチレン系熱可塑性エラストマー及びスチレン系熱可塑性樹脂を含むトナーにより現像してトナー像を形成する現像工程と、前記トナー像を記録媒体に転写する転写工程と、前記記録媒体に前記トナー像を定着する定着工程と、前記トナー像を前記記録媒体に定着する前又は定着すると共に前記トナー像に溶媒を付与する溶媒付与工程と、を有する。
【００１５】
〔トナー粒子〕
まず、本実施形態で用いるトナー粒子について説明する。本実施形態で用いるトナー粒子は、スチレン系熱可塑性エラストマー及びスチレン系熱可塑性樹脂を含んで構成される。スチレン系熱可塑性エラストマーは、主にトナー粒子を構成する結着樹脂の柔軟性を上げて耐折り曲げ特性の改善に寄与し、スチレン系熱可塑性樹脂は、主に耐引っ掻き特性の改善に寄与する。
【００１６】
−スチレン系熱可塑性樹脂−
本実施形態で用いるトナー粒子に含まれるスチレン系熱可塑性樹脂としては、スチレン系単量体の重合体、スチレン系単量体と（メタ）アクリル酸エステル系単量体とを構成単位として含むビニル系共重合体が挙げられる。なお、「（メタ）アクリル」とはアクリル又はメタクリルのいずれかまたは両方であることを意味する。
上記スチレン系単量体としては、例えば、スチレン、ｏ−メチルスチレン、ｍ−メチルスチレン、ｐ−メチルスチレン、α−メチルスチレン、ｐ−エチルスチレン、２，４−ジメチルスチレン、ｐ−ｎ−ブチルスチレン、ｐ−ｔｅｒ−ブチルスチレン、ｐ−ｎ−ヘキシルスチレン、ｐ−ｎ−オクチルスチレン、ｐ−ｎ−ドデシルスチレン、ｐ−メトキシスチレン、ｐ−フェニルスチレン、ｐ−クロルスチレン、３，４−ジクロルスチレン、等が挙げられる。
【００１７】
上記（メタ）アクリル酸エステル系単量体としては、例えば、（メタ）アクリル酸メチル、（メタ）アクリル酸エチル、（メタ）アクリル酸プロピル、（メタ）アクリル酸ｎ−ブチル、（メタ）アクリル酸イソブチル、（メタ）アクリル酸ｎ−オクチル、（メタ）アクリル酸ドデシル、アクリル酸２−エチルヘキシル、（メタ）アクリル酸ステアリル等の（メタ）アクリル酸のアルキルエステルの他、アクリル酸２−クロルエチル、（メタ）アクリル酸フェニル、α−クロルアクリル酸メチル、（メタ）アクリル酸２−ヒドロキシエチル、（メタ）アクリル酸２−ヒドロキシプロピル、（メタ）アクリル酸２−ヒドロキシブチル、（メタ）アクリル酸グリシジル、メタクリル酸ジメチルアミノエチル、メタクリル酸ジエチルアミノエチル、ビスグリシジルメタクリレート、ポリエチレングリコールジメタクリレート、メタクリロキシエチルホスフェートなどを挙げられる。中でも、メタクリル酸メチル、（メタ）アクリル酸エチル、（メタ）アクリル酸プロピル、（メタ）アクリル酸ｎ−ブチル、アクリル酸２−エチルヘキシル等が好適に用いられる。
【００１８】
上記スチレン系単量体、（メタ）アクリル酸エステル系単量体以外に、その他のビニル系単量体として、アクリル酸、メタクリル酸、α−エチルアクリル酸、クロトン酸等のアクリル酸及びそのα−又はβ−アルキル誘導体；フマル酸、マレイン酸、シトラコン酸、イタコン酸、等の不飽和ジカルボン酸及びそのモノエステル誘導体又はジエステル誘導体；コハク酸モノ（メタ）アクリロイルオキシエチルエステル、（メタ）アクリロニトリル、アクリルアミド等を使用してもよい。単量体として、必要に応じて２個以上の二重結合を有する架橋性モノマーを使用してもよい。架橋性モノマーとしては、例えば、ジビニルベンゼン、ジビニルナフタレン等の芳香族ジビニル化合物、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリオキシエチレン（２）−２，２−ビス（４−ヒドロキシフェニル）プロパンジアクリレート、ポリオキシエチレン（４）−２，２−ビス（４−ヒドロキシフェニル）プロパンジアクリレート等のジアクリレート化合物およびそれらのメタクリレート化合物、ペンタエリスリトールトリアクリレート、トリメチロールエタントリアクリレート、トリメチロールプロパントリアクリレート、テトラメチロールメタンテトラアクリレート等の多官能架橋性モノマーおよびそれらのメタクリレート化合物等が挙げられる。
【００１９】
上記ビニル系重合体の重量平均分子量（Ｍｗ）は、１５万以上５０万以下が望ましい。上記ビニル系重合体の重量平均分子量（Ｍｗ）が１５万以上であれば耐引っ掻き特性が確実に向上し、５０万以下であれば溶融粘度が低く抑えられて定着面の平滑性が得られ、要望に沿った発色性が発現される。
また、上記ビニル系重合体の分子量分布（Ｍｗ／Ｍｎ）は２以上２０以下が望ましい。上記ビニル系重合体の分子量分布（Ｍｗ／Ｍｎ）が２以上であれば、高温領域における粘度が低下して耐オフセット性が阻害されることが抑制され、２０以下であれば、定着性が低下することが抑制される。
なお、上記ビニル系重合体は、ゲルパーミエーションクロマトグラフ（ＧＰＣ）で測定される分子量分布において、複数のピークや肩部をもっていてもよい。
【００２０】
トナー粒子中のスチレン系熱可塑性樹脂の含有率は、粉砕性の観点から、全結着樹脂に対して、５０質量％以上９５質量％以下であることが望ましく、６０質量％以上９０質量％以下がより望ましい。
【００２１】
−スチレン系熱可塑性エラストマー−
本実施形態で用いるトナー粒子に含まれるスチレン系熱可塑性エラストマーとしては、ポリスチレンとポリオレフィンとのブロック共重合体、ランダム共重合体等が挙げられ、常温ではゴムの特色を持つが、高温では熱可塑性プラスチックと同様、軟化する材料である。
例えば、ポリスチレン−ポリブタジエン−ポリスチレン、ポリスチレン−ポリブタジエン／ブチレン−ポリスチレン、ポリスチレン−ポリエチレン／ブチレン−ポリスチレン、ポリスチレン−ポリイソプレン−ポリスチレン、ポリスチレン−水添ポリブタジエン−ポリスチレン、ポリスチレン−水添ポリイソプレン−ポリスチレン、ポリスチレン−水添ポリ（イソプレン／ブタジエン）−ポリスチレン、スチレン−ブタジエンブロック共重合体には、１−４体、１−２体の結合の形で二重結合が残るが、これを水素添加したものを使用してもよい。さらに、ポリスチレンに挟まれたソフトセグメント部に極性基を導入したブロック共重合体を使用してもよい。なお、上記共重合体の例示において、「−」で区切った前後はブロックポリマーを意味し、「／」で区切った前後はランダムでも良いし、ブロックでも良いことを意味する。
市販品としては、旭化成社製のタフテックＭ１９１１、タフテックＭ１９４３、タフテックＭＰ１０、アサプレンＴ４３９、タフプレンＡ、クラレ社製のＤＹＮＡＲＯＮ８６３０Ｐなどが挙げられる。特に、ポリスチレンに挟まれたソフトセグメント部が、極性基導入と水素添加された旭化成社製のＳＯＥ−Ｌ６１１、ＳＯＥ−Ｌ６１１Ｘ、ＳＯＥ−Ｌ６０５（以上、商品名）などが好適に使用される。
【００２２】
トナー粒子における上記スチレン系熱可塑性エラストマーの含有率は、全結着樹脂に対して５質量％以上であることが望ましい。スチレン系熱可塑性エラストマーの含有率が上記範囲内であれば、耐折り曲げ特性に加え、低温定着性も大きく向上する。全結着樹脂におけるスチレン系熱可塑性エラストマーの含有率が５質量％以上であれば、耐折曲げ特性が確実に向上する共に、高温側の耐オフセット性が損なわることが抑制される。スチレン系熱可塑性エラストマーの含有率の上限は、特に規定されるものではないが、スチレン系熱可塑性樹脂の含有率を考慮すると全結着樹脂に対して５０重量％以下、粉砕性を持たせるためにスチレン系熱可塑性樹脂の含有率を上げた場合には全結着樹脂に対して４０重量％以下で含有される。
【００２３】
本実施形態で用いるトナー粒子は、スチレン系熱可塑性エラストマー及びスチレン系熱可塑性樹脂のほか、必要に応じて、他の結着樹脂、着色剤、ワックス、電荷制御剤、シリカ粉末、金属酸化物など他の添加剤を含有していてもよい。これら添加剤は、スチレン系熱可塑性エラストマー及びスチレン系熱可塑性樹脂を含む結着樹脂に混練するなどして内添してもよいし、粒子としてトナーを得たのち混合処理を施すなどして外添してもよい。なお、通常、着色剤を含むが、透明のトナーとする場合は、着色剤を含まなくてもよい。
トナー粒子に含まれるスチレン系熱可塑性エラストマー及びスチレン系熱可塑性樹脂以外の結着樹脂としては、公知の結着樹脂が挙げられる。例えば、ポリエステル、ポリエチレン、ポリプロピレン、ポリウレタン、エポキシ樹脂、シリコーン樹脂、ポリアミド、変性ロジン、等が挙げられる。
【００２４】
着色剤としては、公知の顔料または染料が用いられる。具体的には、以下に示すイエロー、マゼンタ、シアン、黒の各顔料が用いられる。
イエローの顔料としては、縮合アゾ化合物、イソインドリノン化合物、アントラキノン化合物、アゾ金属錯化合物、メチン化合物、アリルアミド化合物に代表される化合物が用いられる。
マゼンタの顔料としては、縮合アゾ化合物、ジケトピロロピロール化合物、アントラキノン、キナクリドン化合物、塩基染料レーキ化合物、ナフトール化合物、ベンズイミダゾロン化合物、チオインジゴ化合物、ペリレン化合物が用いられる。
シアンの顔料としては、銅フタロシアニン化合物及びその誘導体、アントラキノン化合物、塩基染料レーキ化合物等が利用される。
黒の顔料としては、カーボンブラック、アニリンブラック、アセチレンブラック、鉄黒等が用いられる。
【００２５】
ワックスとしては、特に制限はなく、例えば、カルナバワックス、木蝋、米糠蝋等の植物性ワックス；蜜ワックス、昆虫ワックス、鯨ワックス、羊毛ワックスなどの動物性ワックス；モンタンワックス、オゾケライトなどの鉱物性ワックス、エステルを側鎖に有するフィッシャートロプシュワックス（ＦＴワックス）、特殊脂肪酸エステル、多価アルコールエステル等の合成脂肪酸固体エステルワックス；パラフィンワックス、ポリエチレンワックス、ポリプロピレンワックス、ポリテトラフルオロエチレンワックス、ポリアミドワックス、およびシリコーン化合物等の合成ワックス；などが挙げられる。ワックスは１種のみであってもよいし、２種以上であってもよい。
【００２６】
電荷制御剤としては、特に制限はなく、従来公知の電荷制御剤が使用される。例えば、ニグロシン染料、脂肪酸変性ニグロシン染料、カルボキシル基含有脂肪酸変性ニグロシン染料、四級アンモニウム塩、アミン系化合物、アミド系化合物、イミド系化合物、有機金属化合物等の正帯電性電荷制御剤；オキシカルボン酸の金属錯体、アゾ化合物の金属錯体、金属錯塩染料やサリチル酸誘導体等の負帯電性電荷制御剤；などが挙げられる。電荷制御剤は１種のみであってもよいし、２種以上であってもよい。
【００２７】
金属酸化物としては、特に制限はなく、例えば、酸化チタン、酸化アルミニウム、酸化マグネシウム、酸化亜鉛、チタン酸ストロンチウム、チタン酸バリウム、チタン酸マグネシウム、チタン酸カルシウム等が挙げられる。金属酸化物は、１種のみであってもよいし、２種以上であってもよい。
【００２８】
−トナー粒子の製造方法−
本実施形態で用いるトナー粒子を製造する方法は特に限定されず、例えば、粉砕トナー、液中乳化乾燥トナー、もしくは重合トナーの製造方法で製造したトナーを溶媒中で微粉砕して得られる。
例えば、スチレン系熱可塑性エラストマー及びスチレン系熱可塑性樹脂を含む結着樹脂、着色剤、必要に応じて、他の添加剤をヘンシェルミキサー等の混合装置に投入して混合し、この混合物を二軸押出機、バンバリーミキサー、ロールミル、ニーダー等で溶融混練した後、ドラムフレーカー等で冷却し、ハンマーミル等の粉砕機で粗粉砕し、さらにジェットミル等の粉砕機で微粉砕した後、風力分級機等を用いて分級することにより、粉砕トナーが得られる。
【００２９】
また、スチレン系熱可塑性エラストマー及びスチレン系熱可塑性樹脂を含む結着樹脂、着色剤、必要に応じて、他の添加剤を酢酸エチル等の溶剤に溶解し、炭酸カルシウムのごとき分散安定剤が添加された水中に乳化／懸濁し、溶剤を除去した後、分散安定剤を除去して得られた粒子を濾過・乾燥することによって液中乳化乾燥トナーが得られる。
また、結着樹脂を形成する重合性単量体、着色剤、重合開始剤（例えば、過酸化ベンゾイル、過酸化ラウロイル、イソプロピルパーオキシカーボネート、クメンハイドロパーオキサイド、２，４−ジクロリルベンゾイルパーオキサイド、メチルエチルケトンパーオキサイド等）および他の添加剤などを含有する組成物を水相中に撹拌下で加えて造粒し、重合反応後、粒子を濾過・乾燥することによって重合トナーが得られる。
【００３０】
なお、トナーを得る際の各材料（スチレン系熱可塑性エラストマー及びスチレン系熱可塑性樹脂、着色剤、その他の添加剤など）の配合割合は、要求される耐折り曲げ特性、低温定着性、色などを考慮して設定すればよい。得られたトナーは、ボールミル、ビーズミル、高圧湿式微粒化装置等の公知の粉砕装置を用いて微粉砕することにより本実施形態で用いるトナー粒子が得られる。
【００３１】
トナー粒子の体積平均粒径Ｄ５０ｖは、０．５μｍ以上５．０μｍ以下であることが望ましい。上記範囲内であることで、付着力を高く、現像性の向上が図られる。また、画像の解像性の向上も図られる。トナー粒子の体積平均粒径Ｄ５０ｖは、０．８μｍ以上４．０μｍ以下であることがより望ましく、１．０μｍ以上３．０μｍ以下であることが更に望ましい。
【００３２】
トナー粒子の体積平均粒径Ｄ５０ｖ、数平均粒度分布指標（ＧＳＤｐ）、体積平均粒度分布指標（ＧＳＤｖ）等は、レーザー回折／散乱式粒度分布測定装置  例えば、ＬＡ９２０（堀場製作所社製）を用いて測定される。粒度分布を基にして分割された粒度範囲（チャネル）に対して体積、数をそれぞれ小径側から累積分布を描き、累積１６％となる粒子径を体積Ｄ１６ｖ、数Ｄ１６ｐ、累積５０％となる粒子径を体積Ｄ５０ｖ、数Ｄ５０ｐ、累積８４％となる粒子径を体積Ｄ８４ｖ、数Ｄ８４ｐと定義する。これらを用いて、体積平均粒度分布指標（ＧＳＤｖ）は（Ｄ８４ｖ／Ｄ１６ｖ）１／２、数平均粒度分布指標（ＧＳＤｐ）は（Ｄ８４ｐ／Ｄ１６ｐ）１／２として算出される。
【００３３】
［溶媒］
本実施形態でトナー像に付与する溶媒は、特に制限はないが、例えば、パラフィンオイル等の脂肪族系炭化水素溶媒（市販品では、松村石油社製モレスコホワイトＭＴ−３０Ｐ、モレスコホワイトＰ４０、モレスコホワイトＰ７０、エクソン化学社製アイソパーＬ、アイソパーＭなど）、ナフテン系オイル等の炭化水素系溶媒（市販品では、エクソン化学社製  エクソールＤ８０、エクソールＤ１１０、エクソールＤ１３０、日本石油化学社製  ナフテゾールＬ、ナフテゾールＭ、ナフテゾールＨ、Ｎｅｗナフテゾール１６０、Ｎｅｗナフテゾール２００、Ｎｅｗナフテゾール２２０、ＮｅｗナフテゾールＭＳ−２０Ｐなど）が挙げられ、それらの中に、トルエン等の芳香族化合物を含有させてもよい。
【００３４】
トナー像に付与する溶媒は、１種のみであってもよいし、２種以上であってもよい。溶媒を２種以上の混合系として用いる場合は、例えば、パラフィン系溶剤と植物油との混合系や、シリコーン系溶剤と植物油との混合系が挙げられ、パラフィン系溶剤と植物油との混合系であることが望ましい。
本実施形態で用いる溶媒は、溶媒が揮発して環境を汚染することを抑制する観点から、不揮発性であることが望ましく、パラフィンオイルを主成分とすることが望ましい。ここで「主成分」とは、溶媒を構成する成分のうち、最も多く含まれる成分であり、望ましくは５０容量％以上である。
【００３５】
トナー像に付与する溶媒は、各種副資材、例えば、分散剤、乳化剤、界面活性剤、安定化剤、湿潤剤、増粘剤、起泡剤、消泡剤、凝固剤、ゲル化剤、沈降防止剤、帯電制御剤、帯電防止剤、老化防止剤、軟化剤、可塑剤、充填剤、付香剤、粘着防止剤、離型剤等を含んでいてもよい。
【００３６】
図１は、本実施形態に係る画像形成装置の一例を示す概略構成図である。本実施形態に係る画像形成装置１００は、図１に示すように、像保持体５０を備え、その周囲に、像保持体５０を帯電する帯電装置５２と、帯電装置５２により帯電された像保持体５０を露光して静電潜像を形成する静電潜像形成装置５４と、本実施形態のスチレン系熱可塑性エラストマー及びスチレン系熱可塑性樹脂を含むトナーを収納し、像保持体５０の表面に形成された静電潜像を前記トナーにより現像してトナー像を形成する現像装置５６と、現像装置５６により形成したトナー像を記録媒体Ｐに転写する転写装置５８と、転写装置５８により記録媒体Ｐに転写されたトナー像を定着する定着装置４０と、転写後の像保持体５０の表面の残留トナーを除去する清掃装置６０と、前記トナー像に溶媒を付与する溶媒付与装置７０と、を備えている。
【００３７】
像保持体５０は、特に制限なく、公知の感光体が適用されるが、電荷発生層と電荷輸送層を分離した、機能分離型と呼ばれる構造の有機感光体が好適に適用される。
静電潜像形成装置５４としては、例えば、レーザー光学系やＬＥＤアレイ等が適用される。
【００３８】
現像装置５６は、例えば、現像剤層を表面に形成させた現像剤保持体を像保持体５０に接触若しくは近接させて、像保持体５０の表面に形成されている静電潜像に本実施形態のトナーを付着させてトナー像を形成する。
【００３９】
転写装置５８は、例えば、コロトロン等の非接触転写方式、記録媒体Ｐを介して導電性の転写ロールを像保持体５０に接触させ記録媒体Ｐにトナー像を転写する接触転写方式のいずれを適応してもよい。
清掃装置６０は、例えば、板状部材を像保持体５０の表面に直接接触させて表面に付着しているトナー、紙粉、ゴミなどを除去する部材である。清掃装置６０としては、板状部材以外にブラシ状の部材や、ロール状の部材等を適用してもよい。
【００４０】
定着装置４０は、ロール状の定着部材４０Ａ，４０Ｂを有する。記録媒体Ｐ上の未定着画像（トナー像）がロール４０Ａ，４０Ｂ間を通って加熱及び加圧されることで定着される。なお、定着装置４０の形態は２つの定着ロールを備えたものに限定されず、例えば、定着ロールと定着ベルトを組み合わせた形態でもよいし、加熱形態も特に限定されず、例えば、ハロゲンヒータ等の加熱ヒータにより加熱する形態、電磁誘導加熱方式で加熱する形態が採用される。
【００４１】
溶媒付与装置７０は、トナー像を記録媒体Ｐに定着する前又は定着すると共にトナー像に溶媒を付与する構成とする。トナー像に溶媒を付与する手段は特に限定されず、例えば、トナー像に溶媒を直接噴霧または滴下させる方法、トナー像に対して溶媒を霧状に付与する方法、定着部材（定着ロール又は定着ベルト）の外周面に付与し、定着部材を介してトナー像に付与する方法等が挙げられる。
【００４２】
トナー像に付与する溶媒量は、トナー像に含まれるトナー量に対する溶媒の量が７０質量％以下となるように溶媒を付与することが望ましい。トナー像に含まれるトナー量に対する溶媒の量が７０質量％以下の場合は、定着時に溶媒による吸熱量が小さくなるため、定着温度が低く抑えられると推測される。トナー像に含まれるトナー量に対する溶媒の量は、２０質量％以下がより望ましい。一方、低温定着性を確実に向上させる観点から、上記溶媒量が５質量％以上となるように溶媒を付与することが望ましい。
【００４３】
本実施形態に係る画像形成装置は、上記構成に限られず、例えば、中間転写体を利用した中間転写方式の画像形成装置、各色のトナー像を形成する画像形成ユニットを並列配置させた所謂タンデム方式の画像形成装置であってもよい。
【００４４】
図２に示す画像形成装置は、４連タンデム方式のカラー画像形成装置の構成の一例を示している。図２に示す画像形成装置は、色分解された画像データに基づくイエロー（Ｙ）、マゼンタ（Ｍ）、シアン（Ｃ）、ブラック（Ｋ）の各色の画像を出力する電子写真方式の第１乃至第４の画像形成ユニット１０Ｙ、１０Ｍ、１０Ｃ、１０Ｋ（画像形成手段）を備えている。これらの画像形成ユニット（以下、単に「ユニット」と称する）１０Ｙ、１０Ｍ、１０Ｃ、１０Ｋは、水平方向に互いに離間して並んで設けられている。これらユニット１０Ｙ、１０Ｍ、１０Ｃ、１０Ｋは、画像形成装置本体に対して着脱されるプロセスカートリッジであってもよい。
【００４５】
各ユニット１０Ｙ、１０Ｍ、１０Ｃ、１０Ｋの上方には、各ユニットからトナー像が転写される中間転写体としての中間転写ベルト２０が設けられている。中間転写ベルト２０は、駆動ローラ２２及び中間転写ベルト２０の内面に接する支持ローラ２４に巻回されて設けられ、第１ユニット１０Ｙから第４ユニット１０Ｋに向う方向に走行される。尚、支持ローラ２４は、図示しないバネ等により駆動ローラ２２から離れる方向に付勢されており、両者に巻回された中間転写ベルト２０に張力が与えられている。中間転写ベルト２０の像保持体側の面には、駆動ローラ２２と対向して中間転写体クリーニング装置３０が備えられている。
また、各ユニット１０Ｙ、１０Ｍ、１０Ｃ、１０Ｋの現像装置４Ｙ、４Ｍ、４Ｃ、４Ｋのそれぞれには、トナーカートリッジ８Ｙ、８Ｍ、８Ｃ、８Ｋに収納されたイエロー、マゼンタ、シアン、ブラックの４色のトナーが供給される。各トナーは、各色に応じた着色剤と結着樹脂として本実施形態のスチレン系熱可塑性エラストマーとスチレン系熱可塑性樹脂とを含んで構成される。
【００４６】
第１乃至第４ユニット１０Ｙ、１０Ｍ、１０Ｃ、１０Ｋは、同等の構成を有しているため、ここではイエロー画像を形成する第１ユニット１０Ｙについて代表して説明し、第１ユニット１０Ｙと同等の部分に、イエロー（Ｙ）の代わりに、マゼンタ（Ｍ）、シアン（Ｃ）、ブラック（Ｋ）を付した参照符号を付すことにより、第２乃至第４ユニット１０Ｍ、１０Ｃ、１０Ｋの説明を省略する。
【００４７】
第１ユニット１０Ｙは、像保持体１Ｙを有している。像保持体１Ｙの周囲には、像保持体１Ｙの表面を帯電させる帯電ローラ２Ｙ、帯電された表面を色分解された画像信号に基づくレーザ光線３Ｙよって露光して静電潜像を形成する露光装置３、本実施形態に係るトナーを収納し、像保持体の表面に形成された静電潜像をトナーにより現像してトナー像を形成する現像装置４Ｙ、トナー像を中間転写ベルト２０上に転写する１次転写ローラ５Ｙ、及び１次転写後に像保持体１Ｙの表面に残存するトナーを、板状部材にて除去する像保持体クリーニング装置６Ｙが順に設けられている。
【００４８】
１次転写ローラ５Ｙは、中間転写ベルト２０の内側に配置され、像保持体１Ｙに対向した位置に設けられている。更に、各１次転写ローラ５Ｙ、５Ｍ、５Ｃ、５Ｋには、１次転写バイアスを印加するバイアス電源（図示せず）がそれぞれ接続されている。各バイアス電源は、図示しない制御部による制御によって、各１次転写ローラに印加する転写バイアスを制御する。
【００４９】
また、支持ローラ２４に対向して配置され、中間転写ベルト２０から記録媒体Ｐにトナー像を転写させる２次転写ローラ（２次転写手段）２６と、記録媒体Ｐに転写されたトナー像を定着させる定着装置２８と、定着装置を構成する定着ロールを介してトナー像に溶媒を付与する溶媒付与装置２９が設けられている。
【００５０】
この画像形成装置では、まず、帯電ローラ２Ｙによって像保持体１Ｙの表面が帯電される。帯電した像保持体１Ｙの表面に、図示しない制御部から送られてくるイエロー用の画像データに従って、露光装置３を介してレーザ光線３Ｙを出力する。レーザ光線３Ｙは、像保持体１Ｙの表面の感光層に照射され、それにより、イエロー印字パターンの静電潜像が像保持体１Ｙの表面に形成される。
【００５１】
像保持体１Ｙ上に形成された静電潜像は、像保持体１Ｙの走行に従って現像位置まで回転される。そして、現像位置で、像保持体１Ｙ上の静電潜像が、現像装置４Ｙによって可視像化される。
【００５２】
現像装置４Ｙ内には、イエロートナーが収納されている。イエロートナーは、イエローの着色剤と、スチレン系熱可塑性エラストマーと、スチレン系熱可塑性樹脂とを含んで構成されている。イエロートナーは、現像装置４Ｙの内部で攪拌されることで摩擦帯電し、像保持体１Ｙ上に帯電した帯電荷と同極性の電荷を有して現像剤ロール（現像剤保持体）上に保持されている。そして像保持体１Ｙの表面が現像装置４Ｙを通過していくことにより、像保持体１Ｙ表面上の除電された潜像部にイエロートナーが静電的に付着し、潜像がイエロートナーによって現像される。イエローのトナー像が形成された像保持体１Ｙは、引続き走行され、像保持体１Ｙ上に現像されたトナー像が１次転写位置へ搬送される。
【００５３】
像保持体１Ｙ上のイエロートナー像が１次転写部へ搬送されると、１次転写ローラ５Ｙに１次転写バイアスが印加され、像保持体１Ｙから１次転写ローラ５Ｙに向う静電気力がトナー像に作用され、像保持体１Ｙ上のトナー像が中間転写ベルト２０上に転写される。このとき印加される転写バイアスは、トナーの極性と逆極性であり、例えば第１ユニット１０Ｙでは制御部に（図示せず）よって＋１０μＡ程度に制御されている。一方、像保持体１Ｙ上に残留したトナーはクリーニング装置６Ｙで除去されて回収される。
【００５４】
また、第２ユニット１０Ｍ以降の１次転写ローラ５Ｍ、５Ｃ、５Ｋに印加される１次転写バイアスも、第１ユニットに準じて制御されている。
こうして、第１ユニット１０Ｙにてイエロートナー像の転写された中間転写ベルト２０は、第２乃至第４ユニット１０Ｍ、１０Ｃ、１０Ｋを通して順次搬送され、各色のトナー像が重ねられて多重転写される。
【００５５】
第１乃至第４ユニットを通して４色のトナー像が多重転写された中間転写ベルト２０は、中間転写ベルト２０と中間転写ベルト２０内面に接する支持ローラ２４と中間転写ベルト２０の像保持面側に配置された２次転写ローラ（２次転写手段）２６とから構成された２次転写部へと至る。一方、記録媒体Ｐが供給機構を介して２次転写ローラ２６と中間転写ベルト２０との間に給紙され、２次転写バイアスが支持ローラ２４に印加される。このとき印加される転写バイアスは、トナーの極性と同極性の極性であり、中間転写ベルト２０から記録媒体Ｐに向う静電気力がトナー像に作用され、中間転写ベルト２０上のトナー像が記録媒体Ｐ上に転写される。尚、この際の２次転写バイアスは２次転写部の抵抗を検出する抵抗検出手段（図示せず）により検出された抵抗に応じて決定されるものであり、電圧制御されている。
【００５６】
この後、記録媒体Ｐは、定着ロール２８Ａ，２８Ｂを備えた定着装置２８へと送り込まれる。定着装置２８では、記録媒体Ｐに転写されたトナー像と接する側の定着ロール２８Ａに溶媒付与装置２９から溶媒が付与される。そして、トナー像が加熱及び加圧によって記録媒体Ｐ上へ定着されると共に、定着ロール２８Ａを介してトナー像に溶媒が付与される。このようにトナー像に溶媒が付与されることで、低温定着によって定着の高速化が図られる。
【００５７】
カラー画像の定着が完了した記録媒体Ｐは、排出部へ向けて搬出され、一連のカラー画像形成動作が終了される。
【実施例】
【００５８】
以下、本発明を、実施例を挙げてさらに具体的に説明する。ただし、これら各実施例は、本発明を制限するものではない。なお、文中、「部」及び「％」は、特に断りのない限りそれぞれ「質量部」及び「質量％」を表す。
【００５９】
［実施例１］
＜現像剤の作製＞
スチレンアクリル樹脂（藤倉化成（株）製ＦＳＲ−５１、重量平均分子量３８万）６０質量部にシアン顔料Ｃ．Ｉ．ピグメントブルー１５：３（クラリアント（株）製）４０質量部を加え、加圧ニーダーで混練した。この混練物を粗粉砕して、シアン顔料マスターバッチを作製した。次に以下の組成の混合物をバンバリミキサーで混練した。
・上記シアン顔料マスターバッチ：２５質量部
・スチレンアクリル樹脂（藤倉化成（株）製ＦＳＲ−０５３、重量平均分子量３２万、酸価１０）：５７質量部
・スチレン系熱可塑性エラストマー（旭化成社製品：「ＳＯＥ−ＳＳ  Ｌ６１１Ｘ」  スチレン・ブタジエンブロック共重合体の水素添加品）：１８質量部
以上の混練物をジェットミルで粉砕し、分級して平均粒径６μｍのシアントナー１を得た。
【００６０】
＜未定着画像の作製＞
上記トナー１を用い、画像単位面積当たりのトナー量が４ｇ／ｍ２になるよう王子製紙製ＯＫトップコート＋１２７ｇｓｍにトナー像を形成し、難揮発性のパラフィンオイル松村石油（株）製「モレスコホワイトＰ４０」を霧吹きにて付与して未定着画像を得た。
【００６１】
＜定着画像の作製＞
直径５０ｍｍのロール対を有する定着装置を用いて定着画像を作製した。各定着ロールは、ステンレス製の芯金の表面に厚さ５ｍｍ、ゴム硬度５０度（ＪＩＳ−Ａ）のシリコーンゴムを形成し、厚さ３０μｍのフッ素樹脂（ＰＦＡ）層で被覆されている。各ロールの内部にはハロゲンヒータが設けられ、ロール表面温度を加熱制御する。
このロール対を最大圧力が０．３ＭＰａ、ニップ幅が１０ｍｍになるように加圧機構により荷重を調整し、速度３８４ｍｍ／ｓで駆動しているときに上記未定着像をロール間に挿入し、定着画像を得た。定着時の温度は、定着画像の定着性が変化するよう数点振って定着画像を得た。
【００６２】
＜定着画像の評価＞
定着画像内の溶媒量は、定着後の画像を島津製作所製ＴＧＡ−５０で熱分析し、トナー質量に対する溶媒量の質量比として算出した。
グロスＭＦＴは、ＢＹＫ−Ｇａｒｄｎｅｒ社製Ｍｉｃｒｏ−ＴＲＩ−Ｇｌｏｓｓで６０°グロスを測定し、画像グロスが２０を超えるときの定着温度とし、評価基準は、◎：１３０℃以下、○：１３１〜１４５℃、△：１４６〜１６０℃、×：１６１℃より大、とした。
耐折り曲げ強度は、画像を内側にして用紙を折り曲げ、折り曲げた部分を軽く拭きとった後の画像の破壊具合から評価した。評価基準は、○：軽微で不連続な画像の剥がれがある、△：不連続な破損がある、×：連続した破損がある、とした。
【００６３】
［実施例２］
実施例１の未定着画像を定着前に真空乾燥し、画像中の溶媒を減らしてから定着して画像を得た。
【００６４】
［実施例３］
実施例１の未定着画像作製工程において、松村石油（株）製パラフィンオイル「モレスコホワイトＰ４０」を松村石油（株）製「モレスコホワイトＰ７０」に変更して付与した。
【００６５】
［実施例４］
実施例１の現像剤作製で、以下のように樹脂混合比を変更した。
・スチレンアクリル樹脂（藤倉化成（株）製スチレン−アクリル酸ブチル樹脂、重量平均分子量３２万、酸価１０）：５７質量部を６６質量部に変更。
・スチレン系熱可塑性エラストマー（旭化成社製品：「ＳＯＥ−ＳＳ  Ｌ６１１Ｘ」  スチレン・ブタジエンブロック共重合体の水素添加品）：１８質量部を９質量部に変更。
【００６６】
［実施例５］
実施例１の現像剤作製で、以下のように樹脂混合比を変更した。
・スチレンアクリル樹脂（藤倉化成（株）製スチレン−アクリル酸ブチル樹脂、重量平均分子量３２万、酸価１０）：５７質量部を４８質量部に変更した。
・スチレン系熱可塑性エラストマー（旭化成社製品：「ＳＯＥ−ＳＳ  Ｌ６１１Ｘ」  スチレン・ブタジエンブロック共重合体の水素添加品）：１８質量部を２７質量部に変更した。
【００６７】
［実施例６］
実施例１のモレスコホワイトＰ４０をエクソン化学社製アイソパーＬに変更して付与した。
【００６８】
［実施例７］
実施例１のＬ６１１Ｘを旭化成社製品「タフテックＭ１９１１」（スチレン・エチレン・ブチレン・スチレンブロック共重合体変性品）に変更した。
【００６９】
［実施例８］
実施例１のＦＳＲ−０５３をＦＳＲ−０５１に変更した。
【００７０】
［比較例１］
実施例１の未定着画像の作製において、溶媒を付与せずに画像を得た。
【００７１】
［比較例２］
ポリエステル樹脂（花王（株）製）６０質量部に、シアン顔料Ｃ．Ｉ．ピグメントブルー１５：３（クラリアント（株）製）４０質量部を加え、加圧ニーダーで混練して、シアン顔料マスターバッチを作製した。
次に、上記で得たシアン顔料マスターバッチ：２５質量部、ポリエステル樹脂（花王（株）製）７０質量部、及び固体可塑剤としてポリエステルポリオール（ＤＩＣ（株）製品）５質量部を加圧ニーダーで混練した。
この混練物をサンプルミルで粉砕し、分級して平均粒径６．２μｍのシアントナーを得た。このトナーを用いて、溶媒を付与せずに画像を得た。
【００７２】
［比較例３］
比較例２で作製したトナーを画像単位面積当たりのトナー量が４ｇ／ｍ２になるよう王子製紙製ＯＫトップコート＋１２７ｇｓｍに形成し、難揮発性のパラフィンオイル（松村石油（株）製モレスコホワイトＰ４０）を霧吹きにて付与し未定着画像を得た。
【００７３】
［比較例４］
比較例３において、松村石油（株）製パラフィンオイル「モレスコホワイトＰ４０」を松村石油（株）製「モレスコホワイトＰ７０」に変更して付与した。
【００７４】
［比較例５］
実施例１のスチレン系熱可塑性エラストマーの「ＳＯＥ−Ｌ６１１Ｘ」をアクリル系熱可塑性エラストマーのクラレ社製品「ＬＡポリマー」に変更した。
【００７５】
＜評価結果＞
結果を以下の表１に示す。なお、総合評価は、以下の通りである。
◎：グロスＭＦＴ、耐折り曲げ性の評価で◎と○
○：グロスＭＦＴ、耐折り曲げ性の評価で○と○又は◎と△
△：グロスＭＦＴ、耐折り曲げ性の評価で△と△
×：グロスＭＦＴ、耐折り曲げ性の評価で×がある
【００７６】
【表１】
2012173618.tif 000003
【符号の説明】
【００７７】
１Ｙ、１Ｍ、１Ｃ、１Ｋ  像保持体
２Ｙ、２Ｍ、２Ｃ、２Ｋ  帯電ローラ（帯電手段）
３Ｙ、３Ｍ、３Ｃ、３Ｋ  レーザ光線
３  露光装置（静電潜像形成手段）
４Ｙ、４Ｍ、４Ｃ、４Ｋ  現像装置（現像手段）
５Ｙ、５Ｍ、５Ｃ、５Ｋ  １次転写ローラ（転写手段）
６Ｙ、６Ｍ、６Ｃ、６Ｋ  像保持体クリーニング装置
８Ｙ、８Ｍ、８Ｃ、８Ｋ  トナーカートリッジ
１０Ｙ、１０Ｍ、１０Ｃ、１０Ｋ  画像形成ユニット
２０  中間転写ベルト（転写手段）
２２  駆動ローラ
２４  支持ローラ
２６  ２次転写ローラ（転写手段）
２８   定着装置
２８Ａ，２８Ｂ  定着ロール
２９  溶媒付与装置（溶媒付与手段）
３０  中間転写体クリーニング装置
４０  定着装置
５０  像保持体
５２  帯電装置（帯電手段）
５４  静電潜像形成装置（静電潜像形成手段）
５６  現像装置（現像手段）
５８  転写装置（転写手段）
６０  清掃装置
７０  溶媒付与装置（溶媒付与手段）
１００ 画像形成装置
【図１】
2012173618.tif 000004
【図２】
2012173618.tif 000005